(57)【特許請求の範囲】
【請求項１】
腕金に設けられたボルトを包囲可能な略環形状をなす保持部と、
外力が加えられた場合、前記保持部の一部に、前記ボルトが通過可能な開口を形成する開口部と、
前記ボルトに当接する方向へ付勢された場合に前記開口部を前記ボルト側へ案内する導入部と、
を備え、
前記保持部は、軸心方向における高さ寸法が、前記腕金をなす角材における前記ボルトの軸心方向における高さ寸法と同等とされていることを特徴とする腕金キャップ。
【請求項２】
前記開口部は、前記導入部が前記保持部の外側に位置するボルトに当接する方向へ付勢された場合に当該ボルトが前記保持部の内側へ通過可能な開口を形成することを特徴とする請求項１に記載の腕金キャップ。
【請求項３】
前記保持部は、加えられた外力に応じて変形するとともに当該外力から解放されることによって元の形状に復帰可能な弾性を有する材料を用いて形成され、前記外力から解放された場合に前記ボルトの通過を規制することを特徴とする請求項１または２に記載の腕金キャップ。
【発明の詳細な説明】
【技術分野】
【０００１】
この発明は、腕金に設けられる腕金キャップに関する。
【背景技術】
【０００２】
架空配電線路においては、腕金を用いて電線を電柱に取り付け、電柱間において電線を架設（架空）する方法がある。この腕金は、たとえば、中空の筒形状をなす鋼板製の角材を用いて構成されている。腕金においては、中空の筒形状をなす角材を用いて構成されているため、腕金の端部における開口を介して、腕金の内側の中空部分に野鳥などが営巣することがあった。
【０００３】
野鳥などが営巣している腕金を備えた電柱においては、当該野鳥の卵やヒナなどを狙ってアオダイショウなどの蛇が電柱を昇ることがある。架設された配電線には、たとえば６６００Ｖなどの高電圧がかかっており、従来、電柱を昇る蛇が感電することによって停電などの配電線事故が発生する事例が多数あった。
【０００４】
このような配電線事故の発生源となった蛇は、感電時の状態のまま電線に残っていたり、感電した後電線から落下したりする。配電線事故を発生させる原因となった蛇が感電時の状態のまま電線に残り、永久（長時間）事故となった場合は、停電発生後の巡視によって配電設備の管理作業をおこなう作業者が事故原因を特定することができる。
【０００５】
配電線事故を発生させる原因となった蛇が電線から落下するなどして電線から離れた場合は、数分の停電の後に復旧するが、配電線事故の後におこなう巡視に際して配電線事故の原因を特定することが難しい。このような背景から、野鳥などによる営巣を防止することが望ましく、従来、たとえば、新規に設置される腕金の両端に発泡スチロール製の栓を設けた技術があった。
【０００６】
また、針金などの導電物を用いて形成された巣が腕金の上に作られた場合、巣材である導電物が高圧充電している配電線に接触することによって地絡し、停電が発生することがあった。従来、このような野鳥の営巣を原因とする停電などの配電線事故を防止するための各種の技術があった。
【０００７】
具体的には、従来、たとえば、あらかじめ防巣具取付用基台に防巣具を取り付けておき、開閉器を腕金に取り付けている腕金取付具に対しその先端部を防巣具取付用基台の基板に形成された通孔に挿着した後、この腕金取付具の先端部に対し防巣具取付用固定具の取付孔のうちネジ溝が切られていない第１の孔部を外挿させ、この防巣具取付用固定具を回動させることにより、防巣具取付用固定具のネジ溝が切られた第２の孔部に腕金取付具のネジ溝を螺合させて、防巣具取付用基台を腕金取付具に固定するようにした技術があった（たとえば、下記特許文献１を参照。）。
【０００８】
また、具体的には、従来、たとえば、電柱などの支持アームの上面または側面に、鳥がつかまることができない程度の頂角を有する防巣具本体を縛帯を用いて装着固定し、支持アーム上に鳥が営巣しないようにした技術があった（たとえば、下記特許文献２を参照。）。
【０００９】
また、具体的には、従来、たとえば、腕金の端部の開口の縦寸法よりも低い高さでその横幅の略２倍程度の幅を有する概略長方形の板状をなし、横幅方向中央に薄肉のヒンジ部を備え、ヤットコなどにより折り畳んだ状態に折り曲げ可能となるようにポリエチレン樹脂を成形するとともに、ヒンジ部の一面側に両端部がその開口内の内壁に突き当たるように拡開させるように付勢する板バネを固設するようにした技術があった（たとえば、下記特許文献３を参照。）。
【先行技術文献】
【特許文献】
【００１０】
【特許文献１】特開２００７−１７４９６８号公報
【特許文献２】実開平６−２９３３４号公報
【特許文献３】特開２００７−２８２４３８号公報
【発明の概要】
【発明が解決しようとする課題】
【００１１】
しかしながら、上述したように、新規に設置される腕金の両端に発泡スチロール製の栓を設けた従来の技術は、雀などの小型の鳥につつかれたり風雨などの環境による経時劣化が生じたりすることによって穴があいてしまい、設置してから２年程度で栓の中心からすり鉢状の穴が生じ、野鳥などによる営巣を防止する効果を失ってしまうという問題があった。このように、従来の技術は、停電などの配電線事故を発生させる原因となる鳥類の営巣を長期にわたって防止することが難しいという問題があった。
【００１２】
また、上述したように、新規に設置される腕金の両端に発泡スチロール製の栓を設けた従来の技術は、発泡スチロール製の栓にあいた穴を改修するためには腕金を取り替えるしかないのが現状であるが、腕金を取り替える作業に際しては停電をともなっていた。停電した場合、電力会社の顧客となる電気使用者に負担をかけることになり、電力会社に対する顧客の信用が低下してしまうという問題があった。
【００１３】
また、上述したように、新規に設置される腕金の両端に発泡スチロール製の栓を設けた従来の技術は、発泡スチロール製の栓にあいた穴を改修する工事に多大な費用がかかるという問題があった。そして、このような改修工事は、多大な費用がかかることから着工が見送られることもあり、この場合は上記のように蛇が感電することによって停電が発生してしまうという問題があった。
【００１４】
また、上述した特許文献１、２に記載された従来の技術は、いずれもカラスなどの比較的大型の鳥などによる営巣を防止する技術であって、雀などのような小型の野鳥が腕金の内側に営巣することを防止することは難しいという問題があった。
【００１５】
また、上述した特許文献３に記載された従来の技術は、経年劣化によってポリエチレン樹脂の弾性が低下した場合、腕金の震動などによって腕金に対する腕金キャップの位置がずれたり、腕金から腕金キャップが脱落したりすることが想定され、長期にわたって野鳥などによる営巣を防止することは難しいという問題があった。
【００１６】
さらに、上述した特許文献３に記載された従来の技術は、腕金キャップが劣化した場合は、停電をともなって腕金キャップを交換するしかないため、顧客に負担をかけることによって電力会社に対する顧客の信用が低下するという問題や、改修工事をおこなうために多大な費用をかけなくてはならないという問題があった。
【００１７】
この発明は、上述した従来技術による問題点を解消するため、蛇が感電することによって発生する停電などの配電線事故を、容易かつ長期にわたって防止することができる腕金キャップを提供することを目的とする。
【課題を解決するための手段】
【００１８】
上述した課題を解決し、目的を達成するため、この発明にかかる腕金キャップは、腕金に設けられたボルトを包囲可能な略環形状をなす保持部と、外力が加えられた場合、前記保持部の一部に、前記ボルトが通過可能な開口を形成する開口部と、前記ボルトに当接する方向へ付勢された場合に前記開口部を前記ボルト側へ案内する導入部と、を備えたことを特徴とする。
【００１９】
また、この発明にかかる腕金キャップは、上記の発明において、前記開口部が、前記導入部が前記保持部の外側に位置するボルトに当接する方向へ付勢された場合に当該ボルトが前記保持部の内側へ通過可能な開口を形成することを特徴とする。
【００２０】
また、この発明にかかる腕金キャップは、上記の発明において、前記保持部が、軸心方向における高さ寸法が、前記腕金をなす角材における前記ボルトの軸心方向における高さ寸法と同等とされていることを特徴とする。
【００２１】
また、この発明にかかる腕金キャップは、上記の発明において、前記保持部が、加えられた外力に応じて変形するとともに当該外力から解放されることによって元の形状に復帰可能な弾性を有する材料を用いて形成され、前記外力から解放された場合に前記ボルトの通過を規制することを特徴とする。
【００２２】
この発明によれば、腕金の内側における野鳥などによる営巣を長期にわたって防止することができる。
【発明の効果】
【００２３】
この発明にかかる腕金キャップによれば、腕金の内側における野鳥などによる営巣を長期にわたって防止することができるので、腕金の内側に営巣した野鳥の卵やヒナを狙う蛇が感電することによって発生する停電などの配電線事故を、容易かつ長期にわたって防止することができるという効果を奏する。
【図面の簡単な説明】
【００２４】
【図１】この発明にかかる実施の形態１の腕金キャップの構成を示す説明図（その１）である。
【図２】この発明にかかる実施の形態１の腕金キャップの構成を示す説明図（その２）である。
【図３】この発明にかかる実施の形態１の腕金キャップの取り付け対象となる腕金を備えた電柱を示す説明図（その１）である。
【図４】この発明にかかる実施の形態１の腕金キャップの取り付け対象となる腕金を備えた電柱を示す説明図（その２）である。
【図５】この発明にかかる実施の形態１の腕金キャップの取付手順を示す説明図（その１）である。
【図６】この発明にかかる実施の形態１の腕金キャップの取付手順を示す説明図（その２）である。
【図７】この発明にかかる実施の形態１の腕金キャップの取付手順を示す説明図（その３）である。
【図８】この発明にかかる実施の形態１の腕金キャップの取付手順を示す説明図（その４）である。
【図９】この発明にかかる実施の形態１の腕金キャップの取付手順を示す説明図（その５）である。
【図１０】この発明にかかる実施の形態１の腕金キャップの取付手順を示す説明図（その６）である。
【図１１】腕金への腕金キャップの別の取付方法を示す説明図である。
【図１２】この発明にかかる実施の形態２の腕金キャップの構成を示す説明図（その１）である。
【図１３】この発明にかかる実施の形態２の腕金キャップの構成を示す説明図（その２）である。
【図１４】この発明にかかる実施の形態２の腕金キャップが腕金に取り付けられた状態を示す説明図である。
【図１５】この発明にかかる実施の形態３の腕金キャップを示す説明図である。
【図１６】この発明にかかる実施の形態４の腕金キャップを示す説明図（その１）である。
【図１７】この発明にかかる実施の形態４の腕金キャップを示す説明図（その２）である。
【図１８】この発明にかかる実施の形態４の腕金キャップを示す説明図（その３）である。
【発明を実施するための形態】
【００２５】
以下に添付図面を参照して、この発明にかかる腕金キャップの好適な実施の形態を詳細に説明する。
【００２６】
（実施の形態１）
（腕金キャップの構成）
まず、この発明にかかる実施の形態１の腕金キャップの構成について説明する。図１および図２は、この発明にかかる実施の形態１の腕金キャップの構成を示す説明図である。図１においては、この発明にかかる実施の形態１の腕金キャップを斜め方向から見た状態を示している。図２においては、この発明にかかる実施の形態１の腕金キャップを図１における矢印Ａ方向に沿って見た状態を示している。
【００２７】
図１および図２において、この発明にかかる実施の形態１の腕金キャップ１００は、保持部１１０と、開口部１２０と、導入部１３０と、を備えている。腕金キャップ１００は、ポリエチレン、エチレンプロピレンゴムなどの、絶縁性を備えた高分子材料（絶縁性のプラスチック）を用いて形成されている。
【００２８】
絶縁性を備えた高分子材料（絶縁性のプラスチック）のように、安価に大量生産できる材料を用いて腕金キャップ１００を成形することにより、多量の腕金キャップ１００を製造した場合にも、当該腕金キャップ１００の製造にかかるコストを低く抑えることができる。
【００２９】
また、絶縁性を備えた高分子材料（絶縁性のプラスチック）のように、安価に大量生産できる材料を用いて腕金キャップ１００を成形することにより、任意の色に着色された腕金キャップ１００を製造することができる。これによって、腕金キャップ１００が取り付けられる腕金（図３を参照）の周囲の環境に応じて、適宜、最適な色の腕金キャップ１００を取り付けることができる。
【００３０】
腕金キャップ１００において、保持部１１０、開口部１２０および導入部１３０は、一体に成形されている。具体的には、腕金キャップ１００は、たとえば、略長方形状をなす絶縁性のプラスチック製の平板を長手方向の中央部分から左右対象に湾曲させることによって形成することができる。
【００３１】
保持部１１０は、略環形状をなしている。腕金キャップ１００において、保持部１１０の軸心方向における寸法（高さ寸法）は、腕金の内径に応じて任意に設定することができる。具体的には、保持部１１０の高さ寸法は、たとえば、略長方形状をなす絶縁性のプラスチック製の平板における短手方向の寸法を調整することによって、任意の寸法とすることができる。
【００３２】
開口部１２０は、保持部１１０がなす環形状の一部を開放する。開口部１２０は、腕金キャップ１００の取り付け対象となる腕金に固定されたボルト（縫いボルト、図３および図４を参照）における軸部の直径よりも小さい幅で開口している。開口部１２０は、保持部１１０がなす環形状の一部を常時開放するものに限らない。開口部１２０は、保持部１１０がなす環形状を開放可能とする構成であればよい。
【００３３】
具体的には、外力が加えられていない状態においては保持部１１０が閉塞された環形状をなすように、長手方向の中央部分から左右対象に湾曲させた略長方形状をなす絶縁性のプラスチック製の平板の一部を当接させ、当該当接部分を開く方向への外力が加えられた場合にボルト（縫いボルト）の通過が可能な幅で開口する開口部１２０を形成するような構成とすることができる。
【００３４】
導入部１３０は、開口部１２０を介して保持部１１０に連続しており、開口部１２０側ほど幅が狭くなるような形状をなしている。導入部１３０は、長手方向の中央部分から左右対象に湾曲させた略長方形状をなす絶縁性のプラスチック製の平板の、長手方向における両端部によって実現されている。
【００３５】
導入部１３０は、腕金キャップ１００の高さ方向（ボルト（縫いボルト）の軸心方向）において互い違いに突出する形状をなしている。これによって、保持部１１０に対して当該保持部１１０の径を縮める方向に外力が加えられた場合、導入部１３０どうしが交差するような状態となる。
【００３６】
図３および図４は、この発明にかかる実施の形態１の腕金キャップ１００の取り付け対象となる腕金を備えた電柱を示す説明図である。図３において、この発明にかかる実施の形態１の腕金キャップ１００は、電柱３０１に設けられた腕金３０２に取り付けられる。腕金３０２は、内側に空洞３０２ａを備えた、中空の筒形状をなす鋼板製の角材によって実現されている。
【００３７】
電柱３０１における腕金３０２の位置は、たとえば、道路上において路面から５メートル以上の高さ位置に電線が架空された状態で当該電線を支持するような高さとすることができる。また、電柱３０１における腕金３０２の位置は、たとえば、横断歩道橋の上において当該横断歩道橋の路面から３メートル以上の高さ位置に電線が架空された状態で当該電線を支持するような高さとすることができる。また、電柱３０１における腕金３０２の位置は、たとえば、鉄道または軌道を横断する場合に、鉄道または軌道上において軌条面から６メートル以上の高さ位置に電線が架空された状態で当該電線を支持するような高さとすることができる。
【００３８】
腕金３０２には、電線を引き留めるクランプ碍子３０３が設けられている。クランプ碍子３０３は、ボルト（縫いボルト）３０４によって腕金３０２に固定されている。ボルト３０４は、腕金３０２を貫通し、挿入側とは反対側においてナット４０１によって固定されている。これにより、腕金３０２をなす角材の内側にある空洞３０２ａには、ボルト３０４が立設されている。
【００３９】
（腕金キャップ１００の取付手順）
つぎに、この発明にかかる実施の形態１の腕金キャップ１００の取付手順について説明する。図５、図６、図７、図８、図９および図１０は、この発明にかかる実施の形態１の腕金キャップ１００の取付手順を示す説明図である。
【００４０】
図５、図６、図７、図８、図９および図１０において、この発明にかかる実施の形態１の腕金キャップ１００を、腕金３０２に取り付ける際には、まず、絶縁ヤットコなどの間接活線工具５０１を用いて腕金キャップ１００を把持し（図５を参照）、間接活線工具５０１によって把持された腕金キャップ１００の導入部１３０をボルト（縫いボルト）３０４に当接させる（図７を参照）。
【００４１】
腕金キャップ１００は、たとえば、絶縁ヤットコなどの間接活線工具５０１の先端に取り付けられたラジオペンチアダプタなどを用いて把持する。これにより、腕金キャップ１００を空洞３０２ａに挿入しやすくなる。腕金キャップ１００は、導入部１３０を備えているため、ボルト（縫いボルト）３０４を導入部１３０の一部に当接させた後は、以降、腕金キャップ１００を空洞３０２ａの奥へ押し込むだけで、開口部１２０がボルト（縫いボルト）３０４に近づくように腕金キャップ１００を誘導することができる。
【００４２】
腕金キャップ１００の導入部１３０がボルト（縫いボルト）３０４に当接した場合、当該腕金キャップ１００を空洞３０２ａの奥へさらに押し込むように付勢する。これにより、導入部１３０を介して、保持部１１０に対して、開口部１２０の開口幅を広げるような外力が作用する。
【００４３】
この外力によって、開口部１２０は、ボルト（縫いボルト）３０４の直径と同程度に拡開する（図８を参照）。そのままさらに、腕金キャップ１００を腕金３０２の空洞３０２ａの奥へ押し込むことによって（図６を参照）、ボルト（縫いボルト）３０４は開口部１２０を通過して、保持部１１０の内側に入り込む（図９を参照）。これによって、腕金３０２に対する腕金キャップ１００の取り付けが完了する（図１０を参照）。
【００４４】
図１１は、腕金３０２への腕金キャップ１００の別の取付方法を示す説明図である。図１１において、腕金３０２の空洞３０２ａには、ボルト（縫いボルト）３０４の軸心方向に沿って２つの腕金キャップ１００（１００ａ、１００ｂ）が設けられている。このように、腕金３０２の空洞３０２ａの大きさによってボルト（縫いボルト）３０４が長い場合は、空洞３０２ａの大きさに応じて、一つの空洞３０２ａの中に複数の腕金キャップ１００を取り付けることによって、空洞３０２ａを確実に塞ぎ、空洞３０２ａ内への野鳥の侵入および営巣を確実に防止することができる。
【００４５】
空洞３０２ａ内に複数の腕金キャップ１００を取り付ける場合、同一の腕金キャップ１００を複数取り付けることができる。また、空洞３０２ａ内に複数の腕金キャップ１００を取り付ける場合、各腕金キャップ１００の高さ方向の寸法は、それぞれ異なっていてもよい。
【００４６】
腕金キャップ１００の取付作業をおこなう作業現場に、あらかじめ、高さ寸法が異なる複数種類の腕金キャップ１００を用意することにより、作業現場の状況に応じて適宜最適な寸法の腕金キャップ１００を取り付けることができ、空洞３０２ａ内への野鳥の侵入および営巣を確実に防止することができる。
【００４７】
導入部１３０は、高さ方向において互い違いに突出する形状をなしているため、保持部１１０に対して当該保持部１１０の径を縮める方向への外力が加わった場合、導入部１３０どうしが交差するような状態となる。これによって、空洞３０２ａの幅寸法によって保持部１１０に対して、半径方向の寸法を圧縮するような外力が作用した場合には、導入部１３０どうしを交差させることによって保持部１１０の半径方向における寸法を圧縮することができる。そして、これによって、空洞３０２ａの幅方向の寸法にかかわらず、腕金キャップ１００によって空洞３０２ａを確実に塞ぎ、野鳥などによる営巣を確実に防止することができる。
【００４８】
以上説明したように、この発明にかかる実施の形態の腕金キャップ１００は、腕金３０２に設けられたボルト（縫いボルト）３０４を包囲可能な略環形状をなす保持部１１０と、外力が加えられた場合に保持部１１０の一部にボルト（縫いボルト）３０４が通過可能な開口を形成する開口部１２０と、ボルト（縫いボルト）３０４に当接する方向へ付勢された場合に開口部１２０をボルト（縫いボルト）３０４側へ案内する導入部１３０と、を備えたことを特徴としている。
【００４９】
この発明にかかる実施の形態１の腕金キャップ１００によれば、開口部１２０を介して保持部１１０の内側に導入されたボルト（縫いボルト）３０４を保持部１１０によって包囲することによって、腕金キャップ１００がボルト（縫いボルト）３０４に抱きつくような状態で、当該腕金キャップ１００をボルト（縫いボルト）３０４に固定することができる。
【００５０】
これによって、腕金３０２に対して腕金キャップ１００を安定して固定することができ、腕金３０２から腕金キャップ１００が脱落したり、腕金３０２に対する腕金キャップ１００の位置がずれたりすることを防止することができる。
【００５１】
また、この発明にかかる実施の形態１の腕金キャップ１００によれば、導入部１３０をボルト（縫いボルト）３０４に当接させた状態で、腕金キャップ１００をボルト（縫いボルト）３０４の方向に押し当てるだけで、腕金３０２に対して腕金キャップ１００を固定することができる。これによって、停電をともなうことなく、空洞３０２ａを確実に塞ぎ、野鳥などによる営巣を確実に防止することができる。
【００５２】
従来のように、腕金３０２の両端に設けられた発泡スチロール製の栓を用いて、野鳥などによる営巣を長期にわたって防止するためには、発泡スチロール製の栓の劣化にともなって腕金３０２を交換する作業が必須であった。この腕金３０２を交換する作業は、停電をともなう作業であるため、電力会社の顧客となる電気使用者に負担をかけることになっていた。
【００５３】
また、このような、顧客に負担をかける停電をともなう作業が頻発することは、電力会社に対する顧客の信用を低下させる原因となりかねないため、野鳥などによる腕金３０２への営巣を防止する対策は重要であるが、腕金３０２を交換する作業は停電をともなうことに加えて、多大な費用がかかるという現状があった。
【００５４】
そして、従来、停電をともなう作業および多大な費用がかかることを避けるために腕金３０２を交換する作業をおこなわない場合、腕金３０２における営巣を防止することができないため、電柱３０１を昇った蛇が感電することによる停電などの配電線事故の発生を避けることが難しくなっていた。蛇が感電することによる停電などの配電線事故は、日没により暗くなり始める夕方頃から夜間にかけての時間帯、すなわち一般家庭において家族が団欒し、一日のうちでもっとも電気を使用する（いわゆるゴールデンタイム）に重なる傾向にあり、電力会社に対する顧客の信用を低下させる原因となりかねなかった。
【００５５】
これに対し、この発明にかかる実施の形態１の腕金キャップ１００によれば、停電をともなうことなく、腕金３０２に対して腕金キャップ１００を容易に取り付けることができるとともに、取り付けた腕金キャップ１００により長期にわたって野鳥などによる営巣を防止することができる。これによって、顧客に負担をかけることなく、腕金３０２の内側に営巣した野鳥の卵やヒナを狙う蛇が感電することによって発生する停電などの配電線事故を、容易かつ長期にわたって防止することができる。
【００５６】
また、この発明にかかる実施の形態１の腕金キャップ１００によれば、蛇が感電することによって発生する停電などの配電線事故を防止することができるので、このような配電線事故への対応作業をおこなう頻度を減らすことができ、当該対応作業をおこなう作業者の疲労軽減を図ることができる。
【００５７】
さらに、この発明にかかる実施の形態１の腕金キャップ１００によれば、蛇が感電することによって発生する停電を原因とする配電線事故の発生を抑制することができるので、配電線事故の対応作業に対する作業者の意識の低下を抑え、対応作業に対する高い意識を持たせることができる。
【００５８】
また、この発明にかかる実施の形態１の腕金キャップ１００は、開口部１２０が、導入部１３０が保持部１１０の外側に位置するボルト（縫いボルト）３０４に当接する方向へ付勢された場合に当該ボルト（縫いボルト）３０４が保持部１１０の内側へ通過可能な開口を形成することを特徴としている。
【００５９】
この発明にかかる実施の形態１の腕金キャップ１００によれば、腕金３０２に対する腕金キャップ１００の取付時以外に、開口部１２０を介して保持部１１０がボルト（縫いボルト）３０４から脱離することを防止することができる。これによって、野鳥などによる営巣を長期にわたって防止することができ、腕金３０２の内側に営巣した野鳥の卵やヒナを狙う蛇が感電することによって発生する停電などの配電線事故を長期にわたって防止することができる。
【００６０】
また、この発明にかかる実施の形態１の腕金キャップ１００においては、軸心方向における高さ寸法が、腕金３０２をなす角材におけるボルト（縫いボルト）３０４の軸心方向における高さ寸法と同等となるように保持部１１０を形成してもよい。このように構成された腕金キャップ１００によれば、空洞３０２ａに対して腕金キャップ１００を押し込むだけで、腕金３０２に腕金キャップ１００を取り付けることができる。これによって、腕金キャップ１００の取り付け作業にたずさわる作業者の作業負担を軽減し、容易かつ迅速に取付作業を完了することができる。
【００６１】
また、この発明にかかる実施の形態１の腕金キャップ１００は、保持部１１０が、加えられた外力に応じて変形するとともに当該外力から解放されることによって元の形状に復帰可能な弾性を有する材料を用いて形成され、外力から解放された場合にボルト（縫いボルト）３０４の通過を規制することを特徴としている。
【００６２】
この発明にかかる実施の形態１の腕金キャップ１００によれば、腕金３０２に対して、一旦、腕金キャップ１００を取り付けた後は、当該腕金キャップ１００が腕金３０２から外れて脱離することを防止することができる。これによって、野鳥などによる営巣を長期にわたって防止することができ、腕金３０２の内側に営巣した野鳥の卵やヒナを狙う蛇が感電することによって発生する停電などの配電線事故を長期にわたって防止することができる。
【００６３】
（実施の形態２）
（腕金キャップの構成）
まず、この発明にかかる実施の形態２の腕金キャップの構成について説明する。実施の形態２においては、上述した実施の形態１と同一部分は同一符号で示し、説明を省略する。
【００６４】
図１２および図１３は、この発明にかかる実施の形態２の腕金キャップの構成を示す説明図である。図１２においては、この発明にかかる実施の形態２の腕金キャップを斜め方向から見た状態を示している。図１３においては、この発明にかかる実施の形態２の腕金キャップを分解して斜め方向から見た状態を示している。
【００６５】
図１２および図１３において、この発明にかかる実施の形態２の腕金キャップ１２００は、保持部１１０と、開口部１２０と、導入部１３０と、高さ調整部１２１０と、を備えている。腕金キャップ１２００において、保持部１１０、開口部１２０および導入部１３０は、一体に成形されている。また、腕金キャップ１２００において、高さ調整部１２１０は、保持部１１０、開口部１２０および導入部１３０とは別体とされている。
【００６６】
高さ調整部１２１０は、たとえば、耐候性に優れたプラスチック材料を用いて形成することができる。また、高さ調整部１２１０は、腕金３０２の色とは異なる色に着色されている。この場合、高さ調整部１２１０は、たとえば、赤色や黄色など、目立つ色に着色することができる。この場合、腕金キャップ１２００の先端まで確認しにいくことなく、腕金キャップ１２００が設けられているかどうか、および、腕金３０２に設けられている腕金キャップ１２００における損傷や劣化の有無を、容易かつ確実に視認することができる。
【００６７】
あるいは、高さ調整部１２１０は、腕金３０２の色や周囲の環境の色と同系色に着色されていてもよい。これによって、腕金キャップ１２００が設けられていることを見えづらくすることができ、周囲と比較した場合に腕金キャップ１２００のみが目立つことを防止して、環境への調和を図ることができる。
【００６８】
高さ調整部１２１０は、長方形状をなす平板状の部材を、保持部１１０の外周面に沿って弧状に湾曲させることによって構成されている。高さ調整部１２１０において、長方形状をなす平板状の部材の、湾曲方向における寸法は、保持部１１０の長手方向の寸法と同程度とすることができる。
【００６９】
高さ調整部１２１０において、高さ調整部１２１０をなす平板状の部材の、湾曲方向に直交する方向（幅方向）における寸法（高さ寸法）は、任意に設定することができる。具体的には、高さ調整部１２１０の高さ寸法は、たとえば、腕金キャップ１２００の取付対象となる腕金３０２の空洞３０２ａの大きさによって定めることができる。
【００７０】
高さ調整部１２１０は、弧状に湾曲することによって内側となる面を、保持部１１０の外周面に対向させた状態で、ビス１３０１およびナット１３０２を用いて保持部１１０に固定されている。保持部１１０および高さ調整部１２１０は、ビス１３０１が貫通するための、孔（図１３を参照。符号を省略する。）が設けられている。
【００７１】
腕金キャップ１２００においては、ビス１３０１およびナット１３０２を用いて保持部１１０と高さ調整部１２１０とを連結することにより、腕金キャップ１２００の取付対象となる腕金３０２の空洞３０２ａの大きさに応じて、高さ調整部１２１０を適宜交換することができる。
【００７２】
保持部１１０と高さ調整部１２１０とは、ビス１３０１およびナット１３０２を用いて連結されているものに限らない。たとえば、保持部１１０と高さ調整部１２１０とは、接着剤を用いて貼り付けられることによって連結されていてもよい。また、保持部１１０と高さ調整部１２１０とは、別体で構成されるものに限らない。保持部１１０と高さ調整部１２１０とは、一体に成型されていてもよい。
【００７３】
このような腕金キャップ１２００は、上述した実施の形態１の腕金キャップ１００と同様に、ヤットコなどの間接活線工具５０１によって把持して、腕金３０２の空洞３０２ａに押し込むことによって取り付けることができる。
【００７４】
図１４は、この発明にかかる実施の形態２の腕金キャップ１２００が腕金３０２に取り付けられた状態を示す説明図である。図１４において、腕金キャップ１２００は、高さ調整部１２１０を備えているため、腕金３０２の空洞３０２ａに取り付けられた場合に、雀などの小型の野鳥が当該空洞３０２ａの奥へ入り込める隙間をつくらない。
【００７５】
これによって、野鳥などによる営巣を確実に防止することができ、腕金３０２の内側に営巣した野鳥の卵やヒナを狙う蛇が感電することによって発生する停電などの配電線事故を長期にわたって防止することができる。
【００７６】
また、この発明にかかる実施の形態２の腕金キャップ１２００においては、空洞３０２ａの大きさ（高さ方向における寸法）に応じて、空洞３０２ａの大きさに適した高さ調整部１２１０を取り付けることができる。これにより、腕金キャップ１２００の取付作業をおこなう作業現場に、あらかじめ、高さ寸法が異なる複数種類の高さ調整部１２１０を用意することにより、作業現場の状況に応じて適宜最適な寸法の高さ調整部１２１０を取り付けることができる。
【００７７】
これによって、空洞３０２ａ内への野鳥の侵入および営巣を確実に防止することができる。また、これによって、作業現場へ携行する道具類が増えることを抑えることができ、腕金キャップ１２００の取付作業に際して作業者にかかる負担軽減を図ることができる。
【００７８】
（実施の形態３）
つぎに、この発明にかかる実施の形態３の腕金キャップについて説明する。実施の形態３においては、上述した実施の形態１、２と同一部分は同一符号で示し、説明を省略する。図１５は、この発明にかかる実施の形態３の腕金キャップを示す説明図である。図１５においては、この発明にかかる実施の形態３の腕金キャップを斜め方向から見た状態を示している。
【００７９】
図１５において、この発明にかかる実施の形態３の腕金キャップ１５００は、保持部１１０と、開口部１２０と、導入部１５０１と、を備えている。導入部１５０１は、左右対称な形状をなしている。腕金キャップ１５００は、略長方形状をなす絶縁性のプラスチック製の平板を長手方向の中央部分から左右対象に湾曲させた形状をなしている。
【００８０】
このような腕金キャップ１５００は、絶縁性を備えた高分子材料（絶縁性のプラスチック）を用いて形成された長方形状の平板状部材を、湾曲させることによって構成することができる。これによって、腕金キャップ１５００を容易に製造することができる。また、このようなシンプルな形状とすることによって、腕金キャップ１５００の製造にかかるコスト低減を図ることができる。
【００８１】
（実施の形態４）
つぎに、この発明にかかる実施の形態４の腕金キャップについて説明する。実施の形態４においては、上述した実施の形態１〜３と同一部分は同一符号で示し、説明を省略する。図１６、図１７および図１８は、この発明にかかる実施の形態４の腕金キャップを示す説明図である。図１６、図１７および図１８においては、この発明にかかる実施の形態４の腕金キャップを、保持部１１０の軸心方向に沿って見た状態を示している。
【００８２】
図１６、図１７および図１８において、この発明にかかる実施の形態４の腕金キャップ１６００は、保持部１１０と、開口部１７１０と、導入部１７２０と、を備えている。腕金キャップ１６００は、上述した実施の形態１における腕金キャップ１００の導入部１３０が一部交差した形状をなしている。
【００８３】
開口部１７１０および導入部１７２０は、保持部１１０に対して、当該保持部１１０の径を縮める方向に外力（図１７における矢印を参照）が加えられて保持部１１０が変形した場合に、当該保持部１１０の変形にともなって形成される。保持部１１０に対して、当該保持部１１０の径を縮める方向への外力が加えられていない場合、腕金キャップ１６００において導入部１７２０を形成する部分によって、ボルト（縫いボルト）３０４を保持する空隙１６１０が形成される。
【００８４】
腕金３０２に対する腕金キャップ１６００の取り付け作業に際しては、まず、保持部１１０に対して、当該保持部１１０の径を縮める方向への外力を加えて保持部１１０を変形させ、開口部１７１０および導入部１７２０を形成する。そして、開口部１７１０および導入部１７２０が形成された状態で、開口部１７１０を介してボルト（縫いボルト）３０４が保持部１１０側に入り込むように、腕金キャップ１６００を腕金３０２の空洞３０２ａの奥へ押し込む。
【００８５】
このとき、導入部１７２０をボルト（縫いボルト）３０４に沿わせながら、腕金キャップ１６００を腕金３０２の空洞３０２ａの奥へ押し込む。これによって、開口部１７１０における中心部分にボルト（縫いボルト）３０４がない場合にも、開口部１７１０を介してボルト（縫いボルト）３０４が保持部１１０側に入り込むように腕金キャップ１６００の挿入位置を案内することができる。
【００８６】
つぎに、腕金３０２の空洞３０２ａの奥へ押し込まれた腕金キャップ１６００が、ボルト（縫いボルト）３０４に当接した状態で、当該腕金キャップ１６００から絶縁ヤットコなどの間接活線工具５０１を取り外す。これにより、保持部１１０が自身の弾性によって元の形状に復帰する。また、保持部１１０の復帰にともなって開口部１７１０が閉じられ、導入部１７２０を形成していた部分によって空隙１６１０が形成される。
【００８７】
腕金３０２に対して腕金キャップ１６００を取り付けた状態において、ボルト（縫いボルト）３０４は、この空隙１６１０内に位置づけられる。また、ボルト（縫いボルト）３０４は、導入部１７２０を形成していた部分によって抱きつかれるような状態とされる。これによって、腕金キャップ１６００をボルト（縫いボルト）３０４に対して確実に固定することができる。
【００８８】
この発明にかかる実施の形態１〜４の腕金キャップ１００、１２００、１５００、１６００においては、たとえば、配電線の位相を標示するために当該配電線に取り付けられるグリップを流用することができる。また、この発明にかかる実施の形態２の腕金キャップ１２００においては、廃棄される配管を流用することができる。このように、既存の部材を流用することによって、腕金３０２の内側における野鳥などによる営巣を容易かつ確実に長期にわたって防止することができる腕金キャップ１００、１２００、１５００、１６００を、低コストで実現することができる。
【産業上の利用可能性】
【００８９】
以上のように、この発明にかかる腕金キャップは、腕金に設けられる腕金キャップに有用であり、特に、腕金の内側の空間における野鳥などによる営巣を防止するために腕金に設けられる腕金キャップに適している。
【符号の説明】
【００９０】
１００  腕金キャップ
１１０  保持部
１２０  開口部
１３０  導入部
３０２  腕金
３０２ａ  空洞
３０４  ボルト（縫いボルト）
５０１  間接活線工具
１２００  腕金キャップ
１２１０  高さ調整部
１５００  腕金キャップ
１５０１  導入部
１６００  腕金キャップ
１７１０  開口部
１７２０  導入部
【図１】
0005555045.tif 000002
【図２】
0005555045.tif 000003
【図３】
0005555045.tif 000004
【図４】
0005555045.tif 000005
【図５】
0005555045.tif 000006
【図６】
0005555045.tif 000007
【図７】
0005555045.tif 000008
【図８】
0005555045.tif 000009
【図９】
0005555045.tif 000010
【図１０】
0005555045.tif 000011
【図１１】
0005555045.tif 000012
【図１２】
0005555045.tif 000013
【図１３】
0005555045.tif 000014
【図１４】
0005555045.tif 000015
【図１５】
0005555045.tif 000016
【図１６】
0005555045.tif 000017
【図１７】
0005555045.tif 000018
【図１８】
0005555045.tif 000019